(57)【要約】【課題】寸法の異なる数種類の取付枠に１個の棚札取付装置で対応することができるようにする。【解決手段】商品陳列棚Ｃの前面に配した取付枠１の上・下縁に対して着脱自在に圧接係着され、且つ棚札を直接又は間接に取り付けることができる棚札取付装置であって、前記取付枠の上・下係止縁の一方に対して係着する係合片２を有し、且つその係合片を上・下係止縁の一方と圧接する方向に付勢する弾機手段４を備えた弾発部材Ａ１と、前記取付枠における上・下係止縁の他方に係着する係合片９を有し、且つ表面には棚札取付手段１０を備えた棚札装着部材Ａ２とからなり、更に棚札装着部材又は前記弾発部材には両部材の合着位置を複数箇所設け、該棚札装着部材の係合片と前記弾発部材の係合片との位置関係を広狭可変し得るようにした。【選択図】　図８
2004033604.tif 000002
【特許請求の範囲】
【請求項１】
商品陳列棚の前面に配した横長手方向に伸びる凹溝を有した取付枠の上・下縁に対して着脱自在に圧接係着され、且つ棚札を直接又は間接に取り付けることができる棚札取付装置であって、その装置は、前記取付枠の上・下係止縁の一方に対して係着する係合片を有し、且つその係合片を上・下係止縁の一方と圧接する方向に付勢する弾機手段を備えた弾発部材と、前記取付枠における上・下係止縁の他方に係着する係合片を有し、且つ表面には棚札取付手段を備えた棚札装着部材とからなり、更に棚札装着部材又は前記弾発部材には両部材の合着位置を複数箇所設け、該棚札装着部材の係合片と前記弾発部材の係合片との位置関係を広狭可変し得るようにしたことを特徴とする棚札取付装置。
【請求項２】
前記弾発部材は、弾機手段の弾発方向の一方に設けた係合片を該弾機手段の弾発方向にのみスライド可能とするガイド杆を備え、且つ弾機手段における弾発方向の他方側には前記棚札装着部材に対して弾発方向と交差する方向から嵌脱自在な支持部を設けたことを特徴とする請求項１記載の棚札取付装置。
【請求項３】
少なくとも商品の値段或いは単価を表示する棚札と、前記請求項１又は２記載の棚札取付装置と、を備えたことを特徴とする棚札装置。
【請求項４】
商品陳列棚、或いは商品陳列ワゴン等に取り付けられ、且つ取り付け状態で購買者と対向する部分に、棚札を直接或いは間接に取り付ける棚札取付部を設けた棚札取付装置と、棚札とからなる棚札装置において、前記棚札取付装置の棚札取付部と棚札は凸部と溝部によりスライド係合自在とし、更に両者の係合は棚札取付部に対し棚札を縦形、又は横形の何れの方向にも取り付け自在としたことを特徴とする棚札装置。
【請求項５】
前記棚札取付装置の棚札取付部が凸部で、且つ縦方向及び横方向の何れの方向へも係合可能とし、棚札側には前記スライド挿入方向の奥行ストッパと、出没可能な抜止ストッパを設けたことを特徴とする請求項４記載の棚札装置。
【発明の詳細な説明】
【０００１】
【発明の属する技術分野】
本発明は、スーパーマーケット等の小売店において、商品陳列用の商品棚やワゴン等に、商品の値段或いは単価等を表示する棚札を取り付けるのに使用される棚札取付装置、及び棚札との組み合わせからなる棚札装置に関する。
【０００２】
【従来の技術】
スーパーマーケット等で使用されている商品陳列棚は、一般に、その前面に凹溝（断面略コの字形）を有した取付枠が、陳列棚の長手方向（左右方向）に沿って配設されている。そして、その凹溝を利用して棚札取付装置を内部から上・下縁に圧接して取り付け、その棚札取付装置の正面側（購買者と対向する面）には凸部を設け、この凸部に対して棚札ホルダーを横からスライドして取り付け、更に棚札ホルダーに棚札を装着していた（特開２００１−３１２２２１号公報）。
【０００３】
【発明が解決しようとする課題】
しかし、従来のものは、取付枠に対する棚札取付装置の取り付けは圧接して取り付けるため、前記取付枠の凹溝の幅寸法に若干の寸法差があっても対応できたが、商品陳列棚の前面に配設される取付枠は、該陳列棚のメーカーにより大きさが異なるため、取付枠に取り付ける棚札取付装置も各メーカーに対応させて数種類（例えば、大、中、小の３タイプ）用意する必要があった。
【０００４】
又、棚札取付装置に対し棚札ホルダーを介して装着される棚札も、横形（横長表示）だけでなく、縦形（縦長表示）のものも存在し、その為前記した棚札取付装置も縦形専用の棚札取付装置を別途必要としていた。
その為、棚札取付装置として多くの種類を用意する必要があり、コストアップの要因となっている、という問題がある。
【０００５】
本発明は上記した従来の技術が有する問題点に鑑みてなされたもので、その目的とするところは、寸法の異なる数種類の取付枠に１個の棚札取付装置で対応することができる棚札取付装置を提供することにある。
又、他の目的は縦形表示及び横形表示の両方に対応できる棚札装置を提供することにある。
【０００６】
【課題を解決するための手段】
上記目的を達成する為に本発明が講じた技術的手段は、商品陳列棚の前面に配した横長手方向に伸びる凹溝を有した取付枠の上・下縁に対して着脱自在に圧接係着され、且つ棚札を直接又は間接に取り付けることができる棚札取付装置であって、その装置は、前記取付枠の上・下縁の一方に対して係着する係合片を有し、且つその係合片を上・下縁の一方と圧接する方向に付勢する弾機手段を備えた弾発部材と、前記取付枠における上・下縁の他方に係着する係合片を有し、且つ表面には棚札取付手段を備えた棚札装着部材とからなり、更に棚札装着部材又は前記弾発部材には両部材の合着位置を複数箇所設け、該棚札装着部材の係合片と前記弾発部材の係合片との位置関係を広狭可変し得るようにしたことを特徴とする（請求項１）。
本発明の棚札取付装置に取り付ける棚札としては、電子棚札のみならず、紙片やカード等に必要事項を手書き、印刷等したものも含まれるものである。
この構成により、棚札装着部材と弾発部材を合着一体化することで、取付枠の上・下縁に圧接係着する上下一組の係合片を備えた棚札取付装置が完成される。そして、棚札装着部材と弾発部材の合着位置を変更することで、上下一組の係合片の間隔を広狭変更することが出来る、それにより、単一の棚札取付装置で、凹溝の溝幅が異なる数種類の取付枠に対応することが可能となる。
【０００７】
又、棚札取付装置を構成する弾発部材は、弾機手段の弾発方向の一方に設けた係合片を該弾機手段の弾発方向にのみスライド可能とするガイド杆を備え、且つ弾機手段における弾発方向の他方側には前記棚札装着部材に対して弾発方向と交差する方向から嵌脱自在な支持部を設けた構成とする（請求項２）。それにより、棚札装着部材に対して弾発部材を合着する際、先にガイド杆を棚札装着部材側に挿入セットしても、他方の支持部は弾機手段を介して設けてあるため、該支持部は容易に変位し、棚札装着部材への合着を容易に行なうことが出来る。そして、棚札装着部材と弾発部材とで構成される上下一組の係合片間の間隔を広狭変更しながら、取付枠に対する圧接作用を発揮する弾機手段の機能を確実に保持できる。
【０００８】
更に、前記した棚札装着部材と弾発部材からなる棚札取付装置と、商品の値段或いは単価を表示する棚札を組み合わせて棚札装置を構成できる（請求項３）。
これにより構成される棚札装置は、凹溝の溝幅寸法が異なる取付枠を備えた数種類の商品陳列棚に単一体で幅広く対応することができる。
【０００９】
又、商品陳列棚、或いは商品陳列ワゴン等に取り付けられ、且つ取り付け状態で購買者と対向する部分に、棚札を直接或いは間接に取り付ける棚札取付部を設けた棚札取付装置と、棚札とからなる棚札装置において、前記棚札取付装置の棚札取付部と棚札は凸部と溝部によりスライド係合自在とし、更に両者の係合は棚札取付部に対し棚札を縦形、又は横形の何れの方向にも取り付け自在としてもよい（請求項４）。
この構成により、棚札取付装置に対する棚札の取り付けを縦形、横形のどちらにも行なうことができる。
そして、前記棚札取付装置の棚札取付部は凸部で、且つ縦方向及び横方向の何れの方向へも係合可能とし、棚札側には前記スライド挿入方向の奥行ストッパと、出没可能な抜止ストッパを設ける（請求項５）。それにより、棚札取付装置に対して棚札を確実に定着装備できる。しかも、装着した棚札の抜止を行なう抜止ストッパは棚札取付装置より大きい棚札側に設けてあるため、抜止ストッパの解除操作を楽に行なうことができる。
【００１０】
【発明の実施の形態】
以下、本発明の実施の形態を図面に基づいて説明する。
図１は商品陳列棚Ｃに棚札取付装置Ａを用いて棚札Ｂを装着した状態を示す斜視図で、棚札取付装置Ａは、諸品陳列棚Ｃの前面に配した取付枠１の上側係止縁に対して圧接係着する係合片を有し、且つその係合片を前記取付枠の上側係止縁に圧接する方向に付勢する弾機手段を備えた弾発部材Ａ１と、前記取付枠の下側係止縁に対して係着する係合片を有し、且つ表面に棚札取付手段を備えた棚札装着部材Ａ２とで構成され、棚札装着部材Ａ２の棚札取付手段に棚札Ｂが装着されるように構成されている。
【００１１】
商品陳列棚Ｃの前面に配置される取付枠１は、アルミニウム材或いはステンレス材等の金属材、又は合成樹脂材によって横長手方向に伸びる凹溝１’を有した断面略Ｃ字形の枠体に形成され、その凹溝１’の上下の各端部にそれぞれ内向きに突出した上側係止縁１ａ、下側係止縁１ｂが形成されている。
従って、この取付枠１の上側係止縁１ａに弾発部材Ａ１の係合片２を、下側係止縁１ｂに棚札装着部材Ａ２の係合片９を、凹溝１’を利用して内側から圧接することにより棚札取付装置Ａが装着される。
【００１２】
棚札取付装置Ａは、図８に示すように、取付枠１の上側係止縁１ａに係着する係合片２を有する弾発部材Ａ１と、取付枠１の下側係止縁１ｂに係着する係合片９を有する棚札装着部材Ａ２との二部材で構成され、その棚札装着部材Ａ２に弾発部材Ａ１を嵌め合わせ一体化することで棚札取付装置Ａが形成される。そして、弾発部材Ａ１と棚札装着部材Ａ２との嵌め合わせ一体化する位置は、前記取付枠１の凹溝１’の溝幅に応じて変更する。
【００１３】
弾発部材Ａ１は、成形性に優れた合成樹脂材、例えばポリアセタール等の合成樹脂材を射出成形して、断面略直角三角形の棒状をした係合片２の左右両側に、ガイド杆３，３’が前記係合片２の係着方向と反対方向（図面では下方向）に向けて平行に突出形成され、且つ前記係合片２の下面（ガイド杆の形成面）に弾機手段４を介して底板５が一体に形成されると共に、その底板５の左右両側に棚札装着部材Ａ２に対して嵌め合わせ一体化する支持部６，６’が突出形成されている。
【００１４】
係合片２の左右両側に正面略門形に形成するガイド杆３，３’は、断面略正方形の角棒杆に構成され、そのガイド杆３，３’の長手方向の端部は底板５付近まで延長されて開放されている。
係合片２と底板５を連結する弾機手段４は、係合片２及び底板５の厚み幅と等しい板幅を有する板バネ形状に構成されている。詳しくは、所定の間隔をおいて平行に配置される係合片２と底板５の間に、二つのＶ形板バネ４ａ，４ｂをそれぞれ開放側が外側を向くように背中合わせ状に配置し、その各Ｖ形板バネ４ａ，４ｂの上下端（開放端）をそれぞれ係合片２、底板５に連結一体化したものである。
それにより、ガイド杆３，３’と一体の係合片２と、反対側の底板５は前記弾機手段４で連結されるため、係合片２と底板５は弾機手段４を形成する二つのＶ形板バネ４ａ，４ｂの弾発作用により接近／離反し、係合片２と底板５に弾発力が生じ、且つ係合片２と底板５は弾機手段４の弾発方向と直交する上下方向に変動自在となる。
【００１５】
棚札装着部材Ａ２は、前記した弾発部材Ａ１と同一の合成樹脂材で射出成形して形成されている。その構成は、略正方形の形状をした基板７の一側面（裏面）に、前記弾発部材Ａ１を上方より嵌め込みセットする定着部８が形成され、その定着部８の下端部に沿って前記取付枠１の下側係止縁１ｂに係着する係合片９が一体に配置形成されている。又、基板７の他側面（表面）には、棚札Ｂを装着するための棚札取付手段１０が一体に形成されている。
【００１６】
定着部８は、基板７の一側面における略下半部の周縁に沿って側壁１１が逆門形形状に一体に形成され、その側壁１１における左右両側の上部には押え片１２が内方に向けて水平に突設され、更に押え片１２と下端の係合片９との間の左右両側の側壁１１の上面には前記弾発部材Ａ１の支持部６，６’が嵌合係着される合着用溝１３ａ，１３ｂ，１３ｃが切欠き形成されている。
前記合着用溝１３ａ，１３ｂ，１３ｃは、弾発部材Ａ１における底板５の両側下部に突設されている支持部６，６’を側壁上面側より嵌合できるよう切欠き形成され、且つその合着用溝の形成位置は側壁に沿い上下方向に所定間隔をおいて３段階に形成されている。
【００１７】
それにより、棚札装着部材Ａ２に対し弾発部材Ａ１の合着一体化は、合着用溝１３ａ，１３ｂ，１３ｃと該弾発部材Ａ１の支持部６，６’の嵌合位置を変えることで３段階に変更できる。そして、両部材の合着位置を変えることで、弾発部材Ａ１側の係合片２と棚札装着部材Ａ２側の係合片９との間隔を広狭変更できる。即ち、係合片９から一番離間した合着用溝１３ａに支持部６，６’を嵌合した場合は係合片２と係合片９との間隔が「大」、合着用溝１３ｂに支持部６，６’を嵌合した場合は係合片２と係合片９との間隔が「中」、合着用溝１３ｃに支持部６，６’を嵌合した場合は係合片２と係合片９との間隔が「小」となる。
【００１８】
基板７の他側面（表面）に形成される棚札取付手段１０は、所定高さの起立壁１０ａを正面正方形状に起立配置し、その起立壁１０ａの上部外周面に一定幅の突縁１０ｂを外側水平方向に向けて一体に形成して形成されている。即ち、図５に示すように、起立壁１０ａの縦寸法Ｌ１と横寸法Ｌ２は同一寸法とし、且つ突縁１０ｂの縦寸法Ｌ３と横寸法Ｌ４も同じ寸法として、断面略Ｌ字形の壁が正方形に配置形成され、その結果、起立壁１０ａの周囲には基板７と突縁１０ｂとで溝１４が区画形成される。そして、その溝１４は正方形の外周に形成されるため、正方形の対向する二辺（上・下、左・右）で後述する棚札Ｂとのスライド係合が行なわれるようになっている。即ち、図１に示すように、同じ棚札取付装置Ａを使用して縦型の棚札、横型の棚札のどちらも装着することができる。
又、正方形の形状に起立形成した起立壁１０ａの内側にはリブ１５が十字状に配置形成され、これにより棚札取付手段１０が補強され、変形の発生が防止されている。尚、前記棚札取付手段１０は図示の如く肉取りすることなくソリッド構造としてもよい。
【００１９】
上記の如く構成した弾発部材Ａ１と棚札装着部材Ａ２を組み合わせて棚札取付装置Ａを構成する場合は、弾発部材Ａ１の係合片２に連接したガイド杆３，３’を、棚札装着部材Ａ２における棚札取付手段１０の設置面と反対側の定着部８に形成された側壁１１と押え片１２の間に挿入し、且つ係合片２と反対側の底板５の左右両側に突設した支持部６，６’を左右の側壁１１に切欠き形成した合着溝１３ａ，１３ｂ，１３ｃの何れかを選択して嵌合することで完成される。即ち、合体した弾発部材Ａ１と棚札装着部材Ａ２の面方向の離反は押え片１２で防止され、弾発部材Ａ１が挿入方向と逆方向に抜けようとする動きは合着溝１３ａ，１３ｂ，１３ｃと支持部６，６’の嵌合で阻止される。それにより、合体した弾発部材Ａ１の係合片２と棚札装着部材Ａ２の係合片９に、弾発部材Ａ１の弾機手段４の弾発力が作用することになり、商品陳列棚Ｃの取付枠１に圧接係着可能となる。
【００２０】
次に、前記棚札取付装置Ａの組み合わせ（合体）手順、及び合体位置変更の手順を図８及び図９に基づいて簡単に説明する。
（１）弾発部材Ａ１を棚札装着部材Ａ２の定着部８側に当て、その弾発部材Ａ１の底板５側を係合片２に対して上方（定着部８から離れる方向）に持ち上げながら係合片２に連接したガイド杆３，３’を、定着部８を構成する側壁１１間に上方から挿入する。この時、弾発部材Ａ１の係合片２と底板５は弾機手段４で連結されている為、容易に曲げることが可能である。
（２）前記作業を完了した時、係合片２に弾機手段４を介して連結された反対側の底板５は押え片１２上に乗った状態にあり、その底板５の左右両側に突設された支持部６，６’を、棚札装着部材Ａ２の左右の側壁１１上に形成した３段階の合着溝１３ａ，１３ｂ，１３ｃの内、目的の合着溝を選択して、棚札装着部材ａ２の基板７に対し鉛直方向から前記合着溝に嵌め込む。尚、支持部６，６’を嵌め込む合着溝の位置が係合片９寄りの場合は、前記ガイド杆３，３’を側壁１１と押え片１２とによってスライド案内して嵌め込む。前記支持部６，６’を嵌め込む合着溝の選択は、棚札Ｂを取り付けようとする商品陳列棚Ｃに配置されている取付枠１の凹溝幅Ｈに応じて決定される。
（３）上記操作で合体させた棚札取付装置Ａを、商品陳列棚Ｃの変更等に伴って弾発部材Ａ１の係合片２と棚札装着部材Ａ２の係合片９との間隔を広狭変更する場合は、前記と逆の操作を行なうことで変更することができる。
その操作は、図９に示すように所定の合着溝１３ｂに嵌合する支持部６，６’と一体の底板５を、ドライバー等１６の工具を用い、係合片９を利用して梃子作用で持ち上げれば、支持部６，６’を合着溝から容易に外すことが出来る。
【００２１】
次に、棚札取付装置Ａを商品陳列棚Ｃの取付枠１に取り付ける操作を図１０に基づいて説明する。
先ず、弾発部材Ａ１の係合片２と棚札装着部材Ａ２の係合片９を目的の間隔に調整して合体した棚札取付装置Ａを、可動可能な係合片２側を取付枠１の上側係止縁１ａに係着し（図１０（ａ）参照）、その状態で棚札取付装置Ａを前記係合片２が上側係止縁１ａに圧着する方向（矢印方向）に押圧する。それにより、係合片２を介して弾機手段４が圧縮され、棚札装着部材Ａ２の係合片９は前記取付枠１の下側係止縁１ｂを乗り越えて凹溝１’に入り込むことが可能となる（図１０（ｂ）参照）。
係合片２側を取付枠１の上側係止縁１ａに押し付けて弾機手段４を圧縮し、係合片９を取付枠１の下側係止縁１ｂを乗り越えて凹溝１’内に嵌め込んだ後、弾機手段４を圧縮する力を解除すると、係合片２及び係合片９は夫々弾機手段４の弾発力で外側方向に移動され、係合片２を上側係止縁１ａに、係合片９は下側係止縁１ｂに夫々圧接係止できる。
尚、取付枠１に圧接係着した棚札取付装置Ａを取り外す時は、該棚札取付装置Ａを係合片２側に移動して弾機手段４を圧縮し、反対側の係合片９を下側係止縁１ｂから外し、更にその下側係止縁１ｂを乗り越えて手前側に引き出す。それにより、係合片２は上側係止縁１ａから離脱可能となり、棚札取付装置Ａを取付枠１から取り外すことが出来る。
【００２２】
上記棚札取付装置Ａに装着する棚札Ｂは、電子棚札（赤外線通信、電池式）Ｂ１を合成樹脂材で成形したホルダーＢ２に嵌め込みセットしたもので、そのホルダーＢ２の裏面には、棚札取付装置Ａを構成する棚札装着部材Ａ２の表面側に形成した棚札取付手段１０が嵌合する断面略Ｌ字形の案内枠１６が所定間隔をおいて平行に固着形成され、且つその平行な案内枠１６の挿入方向の先端部には奥行ストッパ１７が配置形成されている。尚、前記奥行ストッパ１７はその両端を案内枠１６に接合させているが、この奥行ストッパ１７は案内枠１６間を通り抜けるのを防止し、挿入量を規制するものであるから、その機能を発揮するものであればよい。
【００２３】
又、前記ホルダーＢ２の裏面には、前記案内枠１６にガイドされて挿入した棚札取付手段１０が抜け外れるのを防止する抜止ストッパ１８が配置形成されている。
この抜止ストッパ１８は、棚札取付手段１０をスライド案内する前記左右の案内枠１６間の入口部に、案内枠１６が突出形成された面より外側に突出させてストッパ１８が形成され、且つそのストッパ１８の周囲に逆門形形状の切込み１９を形成して、前記ストッパ１８に押す力が作用した時、該ストッパ１８が付設面に対して下方向（ホルダー内部側）に撓み没入するように構成されている。
【００２４】
従って、棚札取付装置Ａの棚札取付手段１０を、棚札ＢのホルダーＢ２の裏面に形成した案内枠１６にスライド挿入し、且つ前記棚札取付手段１０が奥行ストッパ１７に当るまで挿入すると、棚札取付手段１０のスライド挿入時にホルダーＢ２内に没入されていた抜止ストッパ１８は、該ストッパを押し下げていた棚札取付手段１０が通過することで初期状態に復帰し、棚札取付手段１０の周縁に抜止ストッパ１８が当接して棚札取付装置Ａの移動が止められ、装着が完了し、棚札装置Ｄ（棚札取付装置Ａ＋棚札Ｂ）が完成される。
棚札取付装置Ａから棚札Ｂを外す時は、棚札ＢのホルダーＢ２に設けてある抜止ストッパ１８を押し下げて棚札取付手段１０と案内枠１６の相対的な移動を可能とすることで両者の装着を分離することが出来る。
【００２５】
上記した棚札装置Ｄは、棚札取付装置Ａを商品陳列棚Ｃの取付枠１に対して係脱する構成の他に、商品を山済みして陳列する商品ワゴンや陳列用ハンガー等にも取り付けることができる。
その一例を図１２に基づいて説明する。
図１２（ａ）、（ｂ）は、商品ワゴンＣ’に棚札装置Ｄを取り付けた状態を示し、商品ワゴンＣ’の周壁に取付杆２０を万力やその他のクランプ装置で起立取り付け、その取付杆２０の上部に、前記棚札取付手段１０を備えた棚札装着部材Ａ２’を定着し、その棚札装着部材Ａ２’の棚札取付手段１０に前記した棚札Ｂを装着する。そして、棚札装着部材Ａ２’の棚札取付手段１０が前記したように縦と横の寸法が同じである場合は、棚札Ｂとして図示の縦型のみならず、横型でも装着可能である。
【００２６】
又、図１２（ｃ）は、陳列棚に取り付けられた陳列用ハンガーＣ”に棚札装置Ｄを取り付けた状態を示し、同ハンガーＣ”の先端部に、図１２（ａ）で示したと同様に棚札装着部材Ａ２’を定着し、その棚札装着部材Ａ２’の棚札取付手段１０に前記した棚札Ｂを装着する。
【００２７】
尚、上記実施の形態は、本発明を具体化した一例であって、本発明はその要旨を変えない限り変更可能であり、上記実施の形態に限定されるものではない。
▲１▼棚札装着部材Ａ２の棚札取付手段１０の形状は正方形であり、しかも各辺は連続した形態であったが、その各辺を断続的に形成してもよい。更に、棚札装着部材Ａ２の逃げ部を設けておけば、前記正方形の棚札取付手段の外側に該取付手段が延長されていてもよい。又、ホルダー或いは棚札に、棚札装着手段と係着する縦と横の両方の案内枠を設けてもよい。
▲２▼本実施例では、棚札装着部材に支持部が嵌合する合着溝を複数箇所（図面は３個）設けたが、逆に弾発部材に支持部を複数個設け、棚札装着部材側の合着溝を１個として、支持部を選択して嵌合するようにしてもよい。
▲３▼棚札取付装置に装着する棚札は、表示部が電子棚札であるものに限らず、印刷されたプライスカードであってもよい。
▲４▼電子棚札を収容するホルダーの裏面に棚札取付手段と係着する案内枠等を設けたが、電子棚札自体の裏面をホルダーの裏面と同様の構成として、ホルダーを不要にし、棚札取付装置に棚札を直接取り付けるようにしてもよい。
【００２８】
【発明の効果】
本発明の棚札取付装置は請求項１記載の構成により、圧接力を低下させること無く、同じ棚札取付装置で、大きさが異なる商品陳列棚の取付枠に取り付けることができる。従って、取付枠の幅が異なる商品陳列棚に応じて棚札取付装置を数種類用意する必要が無く、非常に経済的である。
又、請求項２記載の構成により、弾発部材を棚札装着部材に対して掛止する際、係合片の係着方向にのみスライド可能とするガイド杆を先にセットしても、支持部側は弾機手段で連結されている為、容易に曲がり、組み立て合体を容易に行なうことができると共に、無理に変形させることが無いので、部材の劣化を少なくできる。
請求項３記載の構成により、取付枠の凹溝の幅が異なる数種類の商品陳列棚に対し、１個で対応できる棚札装置を提供できる。因って、店内改装に伴う商品陳列棚の入れ替え等に対しても、その都度対応する棚札取付装置を用意する必要が無く経済的であり、作業性もよい。
更に、請求項４記載の構成により、棚札の取り付けを縦横のどちらにも共通の棚札取付手段で対応でき、棚札取付装置を縦形用、横形用と複数用意する必要がない。因って、経済的に有利である。
請求項５記載の構成により、棚札取付装置より棚札側が大きい為、抜止ストッパの操作を容易に行なうことができる。そして、棚札取付装置の棚札取付手段を正方形とすることで縦、横の何れの形態にも前記ストッパは対応可能となる。
【図面の簡単な説明】
【図１】本発明の実施の形態の一例を示す斜視図である。
【図２】その取付状態を示す一部切欠側面図である。
【図３】弾発部材と棚札装着部材を合体した棚札取付装置を示す斜視図である。
【図４】棚札取付装置を弾発部材側から見た背面図である。
【図５】棚札取付装置を棚札装着部材側から見た正面図である。
【図６】図４の（６）−（６）線に沿える断面図である。
【図７】図４の（７）−（７）線に沿える断面図である。
【図８】弾発部材を棚札装着部材に組み付ける状態を示す斜視図である。
【図９】棚札装着部材から弾発部材を分離する状態を示す斜視図である。
【図１０】棚札取付装置を取付枠に取り付ける手順を示し、（ａ）は弾発部材の係合片を上側係止縁に係合した状態、（ｂ）は棚札取付装置を弾発部材の弾機手段が圧縮される方向に押し上げて棚札装着部材の係合片を下側係止縁に係着する状態を示す図である。
【図１１】棚札の裏面を示す斜視図である。
【図１２】（ａ）は商品ワゴンに棚札装置を取り付けた状態図、（ｂ）は同取付部を示す一部切欠側面図、（ｃ）は陳列ハンガーに棚札装置を取り付けた状態図である。
【符号の説明】
Ａ…棚札取付装置　　　　　　Ａ１…弾発部材
Ａ２、Ａ２’…棚札装着部材　　　　　　　Ｂ…棚札
Ｂ１…棚札　　　　　　　　　　Ｂ２…ホルダー
Ｃ…商品陳列棚　　　　　　　　１…取付枠
１ａ…上側係止縁　　　　　　　１ｂ…下側係止縁
２、９…係合片　　　　　　　３，３’…ガイド杆
４…弾機手段　　　　　　６，６’…支持部
１０…棚札取付手段
【図１】
2004033604.tif 000003
【図２】
2004033604.tif 000004
【図３】
2004033604.tif 000005
【図４】
2004033604.tif 000006
【図５】
2004033604.tif 000007
【図６】
2004033604.tif 000008
【図７】
2004033604.tif 000009
【図８】
2004033604.tif 000010
【図９】
2004033604.tif 000011
【図１０】
2004033604.tif 000012
【図１１】
2004033604.tif 000013
【図１２】
2004033604.tif 000014